(57)【特許請求の範囲】
【請求項１】
連続する２つのフィールドの映像信号を記録するメモリ手段と、
前記メモリ手段から読み出した映像信号であって、第１のフィールドの着目する画素の信号レベルと、前記第１のフィールドの着目する画素と画面上で上下の位置にある第２のフィールドの映像信号の画素の信号レベルとを比較する比較手段と、
前記画面上で上下の位置にある画素の信号の平均値を求める平均値回路と、
前記比較手段の出力信号に応じて第１のフィールドの信号と前記平均値回路の出力信号とを選択的に出力する第１のスイッチ回路と、
前記第２のフィールドの映像信号と前記第１のスイッチ回路の出力信号とを選択的に出力する第２のスイッチ回路とを備え、
前記比較手段による出力信号が、前記第１のフィールドの着目する画素の信号レベルが画面上で上下の位置にある第２のフィールドの映像信号の画素の信号レベルの間にあることを示すときは前記第１のフィールドの着目する画素の信号を出力し、それ以外のときは画面上で上下の位置にある第２のフィールドの映像信号の平均値を出力するように前記第１のスイッチ回路を制御することを特徴とする映像出力装置。
【請求項２】
連続する２つのフィールドの映像信号を記録するメモリ手段から読み出した映像信号であって、第１のフィールドの着目する画素の信号レベルと、前記第１のフィールドの着目する画素と画面上で上下の位置にある第２のフィールドの映像信号の画素の信号レベルとを比較し、
前記信号レベルの比較の結果、前記第１のフィールドの着目する画素の信号レベルが画面上で上下の位置にある第２のフィールドの映像信号の画素の信号レベルの間にあるときは前記第１のフィールドの着目する画素の信号を選択し、それ以外のときは画面上で上下の位置にある第２のフィールドの映像信号の平均値を選択し、
前記第２のフィールドの映像信号と前記比較結果に応じて選択した出力信号とを選択的に出力することを特徴とする映像出力方法。
【発明の詳細な説明】
【０００１】
【発明の属する技術分野】
本発明は映像出力装置及び映像出力方法に関し、特に、テレビ等に静止画像を表示するために用いて好適な技術に関する。
【０００２】
【従来の技術】
従来の静止画表示装置においては、メモリ手段にフィールドメモリを使うものやフレームメモリを使うもの、またメモリ手段から読み出した映像信号に補間処理した信号を加えることによって画質を改善するようにしたものなど、種々の装置が提案されており、大別すると下記に示すようになる。
【０００３】
１）ビデオカメラ等から入力される動画の映像信号をフィールドメモリに書き込み、その後、前記フィールドメモリから映像信号を読み出して静止画を表示する静止画表示装置は、メモリ容量がフレームメモリに比べて半分で済むのでコストが安く、またフィールド間の動きによるブレも発生しない長所がある。しかし、この場合、オッドフィールド及びイーブンフィールドに同じ映像信号を読み出すので、垂直方向の解像度が半分となってしまい、画質劣化が発生するという欠点がある。
【０００４】
２）入力される動画の映像信号をフレームメモリに書き込み、その後、前記フレームメモリから読み出して表示する静止画表示装置は、被写体の静止している部分では垂直方向の解像度劣化もなく画質劣化が発生しない。しかし、この場合は、被写体の動いている部分では動きによるブレが発生し画質劣化が発生する。この問題を解決するために、画像の動きを検出し、前記検出した動きに応じて制御する方法が提案されている。しかし、このような制御方法を実現しようとすると回路規模が増大してしまい、コストが高くなるという問題が発生している。
【０００５】
３）前記１）と同じくメモリにはフィールドメモリを使用して、前記フィールドメモリから読み出すときに、例えばオッドフィールドではそのまま読み出して出力し、イーブンフィールドでは上下のラインの信号から補間信号を生成して出力するような静止画表示装置では、フィールド間の動きによるブレはない。しかし、画質的には前記２）のフレームメモリを使う装置にはやや及ばないという欠点がある。
【０００６】
【発明が解決しようとする課題】
従来の静止画表示装置においては、フィールドメモリを使用する装置では垂直方向の解像度が劣化し、その結果、画質が悪くなるという問題があった。
【０００７】
また、画質を良くしようとしてフレームメモリを使用するとフィールド間の動きによるブレが発生してしまうので、却って画質劣化を生じるという問題があった。また、画像の動きを検出する方法では、検出するための回路の規模が大きくなり、コストが高くなるという問題があった。
【０００８】
本発明は上述の問題点にかんがみ、垂直方向の画質劣化及びフィールド間の動きによるブレを簡単な構成の回路でなくすことができるようにすることを目的とする。
【０００９】
【課題を解決するための手段】
本発明の映像出力装置は、連続する２つのフィールドの映像信号を記録するメモリ手段と、前記メモリ手段から読み出した映像信号であって、第１のフィールドの着目する画素の信号レベルと、前記第１のフィールドの着目する画素と画面上で上下の位置にある第２のフィールドの映像信号の画素の信号レベルとを比較する比較手段と、前記画面上で上下の位置にある画素の信号の平均値を求める平均値回路と、前記比較手段の出力信号に応じて第１のフィールドの信号と前記平均値回路の出力信号とを選択的に出力する第１のスイッチ回路と、前記第２のフィールドの映像信号と前記第１のスイッチ回路の出力信号とを選択的に出力する第２のスイッチ回路とを備え、前記比較手段による出力信号が、前記第１のフィールドの着目する画素の信号レベルが画面上で上下の位置にある第２のフィールドの映像信号の画素の信号レベルの間にあることを示すときは前記第１のフィールドの着目する画素の信号を出力し、それ以外のときは画面上で上下の位置にある第２のフィールドの映像信号の平均値を出力するように前記第１のスイッチ回路を制御することを特徴とする。
【００１０】
本発明の映像出力方法は、連続する２つのフィールドの映像信号を記録するメモリ手段から読み出した映像信号であって、第１のフィールドの着目する画素の信号レベルと、前記第１のフィールドの着目する画素と画面上で上下の位置にある第２のフィールドの映像信号の画素の信号レベルとを比較し、前記信号レベルの比較の結果、前記第１のフィールドの着目する画素の信号レベルが画面上で上下の位置にある第２のフィールドの映像信号の画素の信号レベルの間にあるときは前記第１のフィールドの着目する画素の信号を選択し、それ以外のときは画面上で上下の位置にある第２のフィールドの映像信号の平均値を選択し、前記第２のフィールドの映像信号と前記比較結果に応じて選択した出力信号とを選択的に出力することを特徴とする。
【００１１】
【作用】
本発明は前記技術手段よりなるので、イーブンフィールドの注目する画素の信号レベルと、前記注目する画素と上下の位置にあるオッドフィールドの画素の信号レベルとが比較され、前記比較の結果に基づいて、前記注目する画素の部分に動きによるブレが発生している場合には、前記注目する画素と上下の位置にある画素を平均した補間信号が出力される。また、前記注目する画素の部分にブレが発生していない場合には、前記イーブンフィールドの注目する画素が出力される。これにより、静止部分ではフレーム画像が出力されて垂直方向の画像劣化がなくなり、また、動きでブレが発生している部分ではフィールド信号から生成した補間信号が出力されてぶれのない画像が得られるようになる。
【００１２】
【発明の実施の形態】
以下、本発明の実施の形態を図面を参照して説明する。
図１は、本実施の形態の映像出力装置の一例を示すブロック図である。図１において、２はインターレース映像信号の入力端子であり、４は入力された映像信号の連続する２フィールドの映像信号を記録するためのメモリ手段である。
【００１３】
６は、前記メモリ手段４から読み出した第２のフィールドの映像信号を１水平同期期間だけ遅延するための遅延手段である。８は、前記メモリ手段４から読み出した第１のフィールドの映像信号と第２のフィールドの映像信号と前記遅延手段６の出力映像信号との信号レベルを比較する比較回路８である。
【００１４】
１０は、第２のフィールドの映像信号と前記遅延手段６の出力映像信号の平均値を演算する平均値回路であり、１２は前記比較回路８の出力信号によって前記第１のフィールドの映像信号と前記平均値回路１０から出力される映像信号とを切り替える第１のスイッチ回路である。また、１４は前記第２のフィールドの映像信号と前記第１のスイッチ回路１２から出力される映像信号とを切り替える第２のスイッチ回路である。
【００１５】
次に、本実施の形態の静止画表示装置の動作について説明する。静止画像を表示するためのタイミングにおいて、メモリ手段４には連続する２フィールドの映像信号が、例えばオッドフィールド、イーブンフィールドの順で書き込まれる。
【００１６】
メモリ手段４から映像信号を読み出すときは、オッドフィールド、イーブンフィールドの映像信号が第１の出力端子４ａ、第２の出力端子４ｂから同時に出力されるようにメモリ手段４を制御する。
【００１７】
メモリ手段４の第１の出力端子４ａから出力されたオッドフィールドの映像信号は、遅延手段６において１水平同期期間だけ遅れた信号として出力するために遅延手段６に入力され、さらに、比較回路８及び平均値回路１０に入力される。一方、メモリ手段４の第２の出力端子４ｂから出力されたイーブンフィールドの映像信号は比較回路８と第１のスイッチ回路１２に入力される。
【００１８】
比較回路８には、メモリ手段４の第１の出力端子４ａから出力されたオッドフィールドの映像信号と、第２の出力端子４ｂから出力されたイーブンフィールドの映像信号と遅延手段６において１水平同期期間だけ遅延した映像信号が入力される。この時、入力された３つの映像信号は、画面上ではイーブンフィールドの映像信号を真ん中にしてオッドフィールドの映像信号が画面下側に、遅延手段６の出力信号が画面上側に位置するような関係になる。
【００１９】
そして、入力された３つの映像信号の信号レベルを各画素毎に比較し、イーブンフィールドの映像信号の信号レベルがオッドフィールドの映像信号の信号レベルと遅延手段６から入力された映像信号の信号レベルとの間にあるかどうかを判定する。この判定結果は、第１のスイッチ回路１２の制御信号として出力する。
【００２０】
平均値回路１０では、前記メモリ手段４の第１の出力端子４ａから出力された映像信号と前記遅延手段６の出力映像信号との平均値を演算して第１のスイッチ回路１２に出力する。
【００２１】
第１のスイッチ回路１２には、メモリ手段４の第２の出力端子４ｂから出力されるイーブンフィールドの映像信号と平均値回路１０の出力映像信号がそれぞれ入力される。また、制御信号として比較回路８の出力信号が入力される。
【００２２】
そして、比較回路８に入力された３つの映像信号の信号レベルにおいて、イーブンフィールドの映像信号の信号レベルがオッドフィールドの映像信号の信号レベルと遅延手段６から入力された映像信号の信号レベルとの間にある時は、メモリ手段４の第２の出力端子４ｂから出力されるイーブンフィールドの映像信号が選択され、それ以外のときは平均値回路１０の出力映像信号が選択されるように動作する。
【００２３】
一方、第２のスイッチ回路１４には、メモリ手段４の第１の出力端子４ａから出力されるオッドフィールドの映像信号と第１のスイッチ回路１２の出力映像信号がそれぞれ入力される。そして、フィールド毎に反転する制御信号（図中、Field Index 信号として示している。）によって、オッドフィールドのときにはオッドフィールドの映像信号が選択され、イーブンフィールドのときには前記第１のスイッチ回路１２の出力映像信号が選択されて出力される。
【００２４】
ここで、比較回路８において行われる、メモリ手段４に記録した連続した２フィールドの映像信号の一部分に動きによるブレが発生しているかどうかを検出する方法について説明する。
【００２５】
図２は、比較回路８に入力された３つの映像信号の注目している画素の信号レベルの様子を示したものである。図２（ａ）は、動きによるブレがない部分（静止してる部分）における画素の信号レベルの様子を示し、図２（ｂ）は動きによるブレが発生している部分における画素の信号レベルの様子を示している。
【００２６】
また、これらの図２（ａ）及び（ｂ）の中で、ａはメモリ手段４から出力されたオッドフィールドの出力映像信号の画素の信号レベルを表し、ｂは前記オッドフィールドの出力信号を遅延手段６で１水平同期期間遅延した出力映像信号の画素の信号レベルを表している。また、ｃはメモリ手段４から出力されたイーブンフィールドの出力映像信号の画素の信号レベルを表している。
【００２７】
図２（ａ）に示すように、動きによるブレがない部分（静止している部分）では、出力映像信号の画素の信号レベルｃはオッドフィールドの出力映像信号の画素の信号レベルａと１水平同期期間遅延した出力映像信号の画素の信号レベルｂの間にあることが分かる。しかし、動きによるブレが発生している部分では、図２（ｂ）に示すように出力映像信号の画素の信号レベルｃはオッドフィールドの出力映像信号の画素の信号レベルａと１水平同期期間遅延した出力映像信号の画素の信号レベルｂの間にはない。したがって、３つの映像信号の信号レベルａ、ｂ、ｃを比較することによって注目している画素がブレているか否かを判断することができる。
【００２８】
そして、注目する画素がブレていると判断したときは、平均値回路１０の出力信号であるオッドフィールドの映像信号と１水平同期期間遅延した映像信号との平均値である映像信号（補間信号）を選択する。この信号は、オッドフィールドから生成した信号なので、ブレは完全に無くなる。
【００２９】
一方、注目する画素がブレていなくて静止していると判断したときは、イーブンフィールドの映像信号を選択する。この時は、フレーム信号となるので画質劣化の無い映像が得られる。
【００３０】
【発明の効果】
本発明は上述したように、本発明によれば、第１のフィールドの信号と平均値回路の出力信号とを選択的に出力するに際して、第１のフィールドの着目する画素の信号レベルと、第１のフィールドの着目する画素と画面上で上下の位置にある第２のフィールドの映像信号の画素の信号レベルとを比較し、第１のフィールドの着目する画素の信号レベルが画面上で上下の位置にある第２のフィールドの映像信号の画素の信号レベルの間にあるときは第１のフィールドの着目する画素の信号を出力し、それ以外のときは画面上で上下の位置にある第２のフィールドの映像信号の平均値を出力するようにしたので、静止部分ではフレーム画像を出力して垂直方向の画像劣化をなくすことができるとともに、動きでブレが発生している部分ではフィールド信号から生成した補間信号を出力することによりブレをなくすことが実現できる。
また、本発明の他の特徴によれば、ブレ検出回路の構成が非常に簡単な構成なので安いコストで実現することができる。
【図面の簡単な説明】
【図１】本発明の静止画表示装置の実施の形態における静止画表示装置の構成を示すブロック図である。
【図２】各画素の信号レベルの様子を示す特性図である。
【符号の説明】
２  入力端子
４  メモリ手段
６  遅延手段
８  比較回路
１０  平均値回路
１２  第１のスイッチ回路
１４  第２のスイッチ回路
【図１】
0003832897.tif 000002
【図２】
0003832897.tif 000003